(57)【要約】【課題】洗濯物を挟む物干し用ピンチに係り、一対の挟持部の間には、一対の挟持部材同士の当たり面が当たっている状態で、隙間が存するようにして、洗濯物を取外す際に糸が挟持部に絡まないで隙間を通過することができ、ほつれが生じないようにした。【解決手段】物干し用ピンチ１は、一対の挟持部材２における支点部６から挟持部４方向に所定距離離れた箇所に、一対の挟持部材２における一対の挟持部４に弾性部材３の閉方向の付勢力が作用している状態で、一対の挟持部材２同士の内側が当たる当たり面２１が形成されており、弾性部材３の付勢力の作用部２２が一対の挟持部材２における当たり面２１の外側に位置されており、一対の挟持部４の間には、一対の挟持部材２同士の当たり面２１が当たっている状態で、隙間７が存するようにした。【選択図】図１
2020096756.tif 000002
【特許請求の範囲】
【請求項１】
対向して配置される一対の挟持部材と、前記一対の挟持部材の外側から押圧する弾性部材とが備えられるとともに、前記各挟持部材には、長手方向の一端部側に挟持部が、他端部側に操作部が、中間部に前記挟持部を開閉する支点部がそれぞれ備えられた物干し用ピンチにおいて、
前記一対の挟持部材における前記支点部から前記挟持部方向に所定距離離れた箇所に、前記一対の挟持部材における一対の挟持部に前記弾性部材の閉方向の付勢力が作用している状態で、前記一対の挟持部材同士の内側が当たる当たり面が形成されており、
前記弾性部材の付勢力の作用部が前記一対の挟持部材における前記当たり面の外側に位置されており、
前記一対の挟持部の間には、前記一対の挟持部材同士の当たり面が当たっている状態で、隙間が存することを特徴とする物干し用ピンチ。
【請求項２】
前記操作部の当接により前記一対の挟持部材における前記挟持部が最大開口状態に位置されている際に、前記挟持部と前記当たり面との間の挟持部材の内側に被挟持物が前記挟持部の開口部側から前記当たり面側に挿入されることを阻止する阻止片が設けられていることを特徴とする請求項１に記載の物干し用ピンチ。
【請求項３】
前記阻止片は前記一対の挟持部材のそれぞれに幅方向の一方の片側から立設され、幅方向の他方の片側に前記阻止片が出入り可能な孔部が形成されていることを特徴とする請求項２に記載の物干し用ピンチ。
【請求項４】
前記操作部の当接により前記一対の挟持部材における前記挟持部が最大開口状態に位置されている状態で、前記阻止片は先端部が前記孔部から離れて空隙が生じる大きさに形成されており、前記各挟持部材における前記孔部の前記挟持部側の近傍に前記空隙を塞ぎ被挟持物が前記挟持部の開口部側から前記当たり面側に挿入されることを阻止する補助阻止片が設けられていることを特徴とする請求項３に記載の物干し用ピンチ。
【請求項５】
前記一対の挟持部材における前記挟持部と前記阻止片との間には、各挟持部材の内面が外側に湾曲して空所が形成されており、
前記空所の前記挟持部に繋がる面がなだらかな丸み面に形成されていることを特徴とする請求項２又は３に記載の物干し用ピンチ。
【請求項６】
前記一対の挟持部材における前記挟持部と前記阻止片又は前記補助阻止片との間には、各挟持部材の内面が外側に湾曲して空所が形成されており、
前記空所の前記挟持部に繋がる面がなだらかな丸み面に形成されていることを特徴とする請求項４に記載の物干し用ピンチ。
【請求項７】
前記一対の挟持部材における前記各挟持部には、複数の凹部と複数の凸部とが形成されるとともに、一方の挟持部の各凹部と各凸部とに他方の挟持部の各凸部と各凹部とが、前記一対の挟持部材同士の当たり面が当たっている状態で、前記隙間をあけて位置されていることを特徴とする請求項１〜６のいずれかに記載の物干し用ピンチ。
【請求項８】
前記一対の挟持部材における前記各挟持部には、幅方向で二分された一側に長手方向に直交する一方凹部と一方凸部とが交互に形成されており、幅方向で二分された他側に長手方向に直交する他方凸部と他方凹部とが交互に形成され、
前記各凸部は半円柱状であり、前記各凹部は半円柱状の窪みであることを特徴とする請求項７に記載の物干し用ピンチ。
【請求項９】
前記隙間は、０．１ｍｍ〜０．３ｍｍであることを特徴とする請求項１〜８のいずれかに記載の物干し用ピンチ。
【発明の詳細な説明】
【技術分野】
【０００１】
本発明は、主に洗濯物を挟む物干し用ピンチに係り、特に、一対の挟持部の間には、弾性部材の閉方向の付勢力が作用して一対の挟持部材同士の当たり面が当たっている状態で、隙間が存するようにした技術である。
【背景技術】
【０００２】
従来、洗濯物を挟む物干し用ピンチは、洗濯物をピンチから取外す際に、片手で洗濯物を引っ張って取り込むことができる機能が望まれており、各種構造の物干し用ピンチが提案されている。
すなわち、従来、挟持部を内側方向に片持ち状に付勢するとともに、後方に円弧状に延設される弾性挟持片で形成し、回動支点部を回動凹凸支点と、回動逃げ部と、回動ストッパー部とで構成し、挟持片を閉じた状態で乾いた洗濯物を容易にかつ素早く取り込むようにした物干し用ピンチが知られている（例えば、特許文献１参照。）
【０００３】
また、従来、楕円形状で一部平滑な平面を持つギザ歯を備えたローラーを、各挟持部に回転可能に取り付けた物干し用ピンチが知られている（例えば、特許文献２参照）。
さらに、従来、周面に基部と挟持弾圧片を有する複数の羽根部を備えた基体から形成された回転体を、挟持部材に枢支された物干し用ピンチが知られている（例えば、特許文献３参照）。
【先行技術文献】
【特許文献】
【０００４】
【特許文献１】特許第５６７６７９９号公報
【特許文献２】特開２００７−２９６８３号公報
【特許文献３】特許第３６３７４３２号公報
【発明の概要】
【発明が解決しようとする課題】
【０００５】
特許文献１に記載された従来の物干し用ピンチは、挟持部及び回動支点部の構造が複雑で、かつ、洗濯物を干しているときに確実に挟持しながら、乾いた洗濯物を容易に素早く取り込むという相反する機能が必ずしも達成できないという課題があった。
特許文献２に記載された従来の物干し用ピンチは、一対のギザ歯を備えたローラーの間に、洗濯物を挟むために洗濯物を確実に保持できながら、回転によって洗濯物の取り込みが容易であるが、構造が複雑で、かつギザ歯に洗濯物の縁からの糸が絡まって、洗濯物がほつれるという課題があった。
【０００６】
さらに、特許文献３に記載された従来の物干し用ピンチは、一対の羽根部を備えた回転体の間に、洗濯物を挟むため洗濯物を確実に保持できながら、回転によって洗濯物の取り込みが容易であるが、構造が複雑で、かつ羽根部に洗濯物の縁からの糸が絡まって、洗濯物がほつれるという、特許文献２に記載のものと同様な課題があった。
本発明は、このような従来の構成が有していた課題を解決しようとするものであり、簡単な構成でありながら、洗濯物を確実に保持し、一対の挟持部の間には、弾性部材の閉方向の付勢力が作用して一対の挟持部材同士の当たり面が当たっている状態で、隙間が存するようにして、洗濯物を取外す際に糸が挟持部に絡まないようにした物干し用ピンチとすることを目的としている。
【課題を解決するための手段】
【０００７】
請求項１に係る本発明の物干し用ピンチは、対向して配置される一対の挟持部材と、前記一対の挟持部材の外側から押圧する弾性部材とが備えられるとともに、前記各挟持部材には、長手方向の一端部側に挟持部が、他端部側に操作部が、中間部に前記挟持部を開閉する支点部がそれぞれ備えられた物干し用ピンチにおいて、
前記一対の挟持部材における前記支点部から前記挟持部方向に所定距離離れた箇所に、前記一対の挟持部材における一対の挟持部に前記弾性部材の閉方向の付勢力が作用している状態で、前記一対の挟持部材同士の内側が当たる当たり面が形成されており、
前記弾性部材の付勢力の作用部が前記一対の挟持部材における前記当たり面の外側に位置されており、
前記一対の挟持部の間には、前記一対の挟持部材同士の当たり面が当たっている状態で、隙間が存するようにしたものである。
【０００８】
請求項２に係る本発明の物干し用ピンチは、請求項１に係る本発明の物干し用ピンチの構成に加え、前記操作部の当接により前記一対の挟持部材における前記挟持部が最大開口状態に位置されている際に、前記挟持部と前記当たり面との間の挟持部材の内側に被挟持物が前記挟持部の開口部側から前記当たり面側に挿入されることを阻止する阻止片が設けられているようにしたものである。
【０００９】
請求項３に係る本発明の物干し用ピンチは、請求項２に係る本発明の物干し用ピンチの構成に加え、前記阻止片は前記一対の挟持部材のそれぞれに幅方向の一方の片側から立設され、幅方向の他方の片側に前記阻止片が出入り可能な孔部が形成されているものである。
【００１０】
請求項４に係る本発明の物干し用ピンチは、請求項３に係る本発明の物干し用ピンチの構成に加え、前記操作部の当接により前記一対の挟持部材における前記挟持部が最大開口状態に位置されている状態で、前記阻止片は先端部が前記孔部から離れて空隙が生じる大きさに形成されており、前記各挟持部材における前記孔部の前記挟持部側の近傍に前記空隙を塞ぎ被挟持物が前記挟持部の開口部側から前記当たり面側に挿入されることを阻止する補助阻止片が設けられているものである。
【００１１】
請求項５に係る本発明の物干し用ピンチは、請求項２又は３に係る本発明の物干し用ピンチの構成に加え、前記一対の挟持部材における前記挟持部と前記阻止片との間には、各挟持部材の内面が外側に湾曲して空所が形成されており、
前記空所の前記挟持部に繋がる面がなだらかな丸み面に形成されているものである。
【００１２】
請求項６に係る本発明の物干し用ピンチは、請求項４に係る本発明の物干し用ピンチの構成に加え、前記一対の挟持部材における前記挟持部と前記阻止片又は前記補助阻止片との間には、各挟持部材の内面が外側に湾曲して空所が形成されており、
前記空所の前記挟持部に繋がる面がなだらかな丸み面に形成されているものである。
【００１３】
請求項７に係る本発明の物干し用ピンチは、請求項１〜６のいずれかに係る本発明の物干し用ピンチの構成に加え、前記一対の挟持部材における前記各挟持部には、複数の凹部と複数の凸部とが形成されるとともに、一方の挟持部の各凹部と各凸部とに他方の挟持部の各凸部と各凹部とが、前記一対の挟持部材同士の当たり面が当たっている状態で、前記隙間をあけて位置されているものである。
【００１４】
請求項８に係る本発明の物干し用ピンチは、請求項７に係る本発明の物干し用ピンチの構成に加え、前記一対の挟持部材における前記各挟持部には、幅方向で二分された一側に長手方向に直交する一方凹部と一方凸部とが交互に形成されており、幅方向で二分された他側に長手方向に直交する他方凸部と他方凹部とが交互に形成され、
前記各凸部は半円柱状であり、前記各凹部は半円柱状の窪みであるものである。
【００１５】
請求項９に係る本発明の物干し用ピンチは、請求項１〜８のいずれかに係る本発明の物干し用ピンチの構成に加え、前記隙間は、０．１ｍｍ〜０．３ｍｍであるものである。
【発明の効果】
【００１６】
請求項１に係る本発明の物干し用ピンチは、前記一対の挟持部材における前記支点部から前記挟持部方向に所定距離離れた箇所に、前記一対の挟持部材における一対の挟持部に前記弾性部材の閉方向の付勢力が作用している状態で、前記一対の挟持部材同士の内側が当たる当たり面が形成されており、前記弾性部材の付勢力の作用部が前記一対の挟持部材における前記当たり面の外側に位置されており、前記一対の挟持部の間には、前記一対の挟持部材同士の当たり面が当たっている状態で、隙間が存するようにしたから、被挟持物である洗濯物の糸が挟持部に絡まないで糸が隙間を通過することができ、かつ、洗濯物が確実に保持されるように隙間の大きさを形成することにより、構造が簡単でありながら、洗濯物を取外す際に糸が挟持部に絡まず、ほつれが生じないようにすることができるのである。
すなわち、弾性部材の付勢力の作用部が一対の挟持部材における当たり面の外側に位置されているから、当り面が一対の挟持部材における挟持部を開閉する支点部として作用することはなく、洗濯物を引っ張って取外すときに、洗濯物が物干しピンチを離れる直前にも一対の挟持部の間には糸が通過できる隙間があいているのである。
【００１７】
請求項２に係る本発明の物干し用ピンチは、請求項１に係る本発明の物干し用ピンチの効果に加え、前記操作部の当接により前記一対の挟持部材における前記挟持部が最大開口状態に位置されている際に、前記挟持部と前記当たり面との間の挟持部材の内側に被挟持物が前記挟持部の開口部側から前記当たり面側に挿入されることを阻止する阻止片が設けられているから、被挟持物である洗濯物が支点部近傍に噛み込むことを阻止して洗濯物を一対の挟持部で保持することができるのである。
【００１８】
請求項３に係る本発明の物干し用ピンチは、請求項２に係る本発明の物干し用ピンチの効果に加え、前記阻止片は前記一対の挟持部材のそれぞれに幅方向の一方の片側から立設され、幅方向の他方の片側に前記阻止片が出入り可能な孔部が形成されているから、阻止片を形成した物干し用ピンチがコンパクトとなるのである。
【００１９】
請求項４に係る本発明の物干し用ピンチは、請求項３に係る本発明の物干し用ピンチの効果に加え、前記操作部の当接により前記一対の挟持部材における前記挟持部が最大開口状態に位置されている状態で、前記阻止片は先端部が前記孔部から離れて空隙が生じる大きさに形成されており、前記各挟持部材における前記孔部の前記挟持部側の近傍に前記空隙を塞ぎ被挟持物が前記挟持部の開口部側から前記当たり面側に挿入されることを阻止する補助阻止片が設けられているから、被挟持物である洗濯物が支点部近傍に噛み込むことを一層確実に阻止して洗濯物を一対の挟持部で保持することができるのである。
【００２０】
請求項５に係る本発明の物干し用ピンチは、請求項２又は３に係る本発明の物干し用ピンチの効果に加え、前記一対の挟持部材における前記挟持部と前記阻止片との間には、各挟持部材の内面が外側に湾曲して空所が形成されており、前記空所の前記挟持部に繋がる面がなだらかな丸み面に形成されているから、被挟持物である洗濯物を取外す際の引っ張る力を小さくすることができ、かつ、洗濯物の糸が挟持部に絡むことを一層確実に防止できるのである。
【００２１】
請求項６に係る本発明の物干し用ピンチは、請求項４に係る本発明の物干し用ピンチの効果に加え、前記一対の挟持部材における前記挟持部と前記阻止片又は前記補助阻止片との間には、各挟持部材の内面が外側に湾曲して空所が形成されており、前記空所の前記挟持部に繋がる面がなだらかな丸み面に形成されているから、被挟持物である洗濯物を取外す際の引っ張る力を小さくすることができ、かつ、洗濯物の糸が挟持部に絡むことを一層確実に防止できるのである。
【００２２】
請求項７に係る本発明の物干し用ピンチは、請求項１〜６のいずれかに係る本発明の物干し用ピンチの効果に加え、前記一対の挟持部材における前記各挟持部には、複数の凹部と複数の凸部とが形成されるとともに、一方の挟持部の各凹部と各凸部とに他方の挟持部の各凸部と各凹部とが、前記一対の挟持部材同士の当たり面が当たっている状態で、前記隙間をあけて位置されているから、被挟持物である洗濯物を一対の挟持部の凹部と凸部との間に屈曲状に挟持するので洗濯物を一層確実に保持することができるのである。
【００２３】
請求項８に係る本発明の物干し用ピンチは、請求項７に係る本発明の物干し用ピンチの効果に加え、前記一対の挟持部材における前記各挟持部には、幅方向で二分された一側に長手方向に直交する一方凹部と一方凸部とが交互に形成されており、幅方向で二分された他側に長手方向に直交する他方凸部と他方凹部とが交互に形成され、前記各凸部は半円柱状であり、前記各凹部は半円柱状の窪みであるから、滑らかな凹部と凸部であり、被挟持物である洗濯物を取外す際の引っ張る力を小さくすることができながら、凹部と凸部の個数を多く形成でき洗濯物をさらに確実に保持することができるのである。
【００２４】
請求項９に係る本発明の物干し用ピンチは、請求項１〜８のいずれかに係る本発明の物干し用ピンチの効果に加え、前記隙間は、０．１ｍｍ〜０．３ｍｍであるから、被挟持物である洗濯物が薄くても一対の挟持部で洗濯物を確実に保持することができるのである。
【図面の簡単な説明】
【００２５】
【図１】本発明の実施の形態１に係る物干し用ピンチを示す正面図である。
【図２】図１の断面図である。
【図３】図１の側面図である。
【図４】図１の挟持部が最大開口状態に位置した図である。
【図５】図４の下方からの斜視図である。
【図６】本発明の実施の形態１に係る物干し用ピンチにおける片方の挟持部材の内側からの側面を示す図であり、（ａ）は側面図及び（ｂ）は斜視図である。
【図７】本発明の実施の形態１に係る物干し用ピンチにおける片方の挟持部材の部分拡大図であり、（ａ）は図６（ａ）のＡ部を示す図及び（ｂ）は（ａ）のＢ−Ｂ線断面図である。
【図８】本発明の実施の形態１に係る物干し用ピンチの使用例を示す説明図であり、被挟持物として薄物の洗濯物を保持した図である。
【図９】本発明の実施の形態１に係る物干し用ピンチの使用例を示す説明図であり、被挟持物として厚物の洗濯物を保持した図である。
【図１０】本発明の実施の形態１に係る物干し用ピンチの変形例を示す図であり、（ａ）は図７（ａ）の変形例を示す図及び（ｂ）は（ａ）の変形例を示す図である。
【図１１】本発明の実施の形態２に係る物干し用ピンチを示す正面図である。
【図１２】図１１の断面図である。
【図１３】図１１の側面図である。
【図１４】図１１の挟持部が最大開口状態に位置した図である。
【図１５】図１４の下方からの斜視図である。
【図１６】本発明の実施の形態２に係る物干し用ピンチにおける片方の挟持部材を示す図であり、（ａ）は正面図、（ｂ）は内側の側面図及び（ｃ）は内側の斜視図である。
【発明を実施するための形態】
【００２６】
以下、本発明の実施の形態を添付した図面により詳細に説明する。
図１〜図９は本発明の実施の形態１に係る図面、図１１〜図１６は本発明の実施の形態２に係る図面であり、図１は物干し用ピンチの正面図、図２は図１の断面図、図３は図１の側面図、図４は図１の挟持部が最大開口状態に位置した図、図５は図４の斜視図、図６は片方の挟持部材の内側からの側面図と斜視図、図７は片方の挟持部の部分拡大図と断面図、図８及び図９は使用例を示す説明図、図１１は物干し用ピンチの正面図、図１２は図１１の断面図、図１３は図１１の側面図、図１４は図１１の挟持部が最大開口状態に位置した図、図１５は図１４の斜視図、図１６は片方の挟持部材の正面図及び内側の側面図と斜視図である。
【００２７】
＜実施の形態１＞
物干し用ピンチ１は、図１に示すように、対向して配置される一対の挟持部材２と、一対の挟持部材２の外側から押圧する弾性部材３とが備えられるとともに、各挟持部材２には、長手方向の一端部側に挟持部４が、他端部側に操作部５が、中間部に挟持部４を開閉する支点部６がそれぞれ備えられている。
一対の挟持部材２は形状が同一であり、材質がポリカーボネート樹脂であり、弾性部材３は直径が約２ｍｍの錫めっき鋼線を円弧状に形成したものである。
【００２８】
一対の挟持部材２における支点部６から挟持部４の方向に所定距離（約１８ｍｍ）離れた箇所に、一対の挟持部材２における一対の挟持部４に弾性部材３の閉方向の付勢力が作用している状態で、一対の挟持部材２同士の内側が当たる当たり面２１が形成されている。
弾性部材３の付勢力の作用部２２は、一対の挟持部材２における当たり面２１の外側に位置されている。
【００２９】
そして、一対の挟持部４の間には、弾性部材３の閉方向の付勢力が作用して一対の挟持部材２同士の当たり面２１が当たっている状態で、隙間７が存するようにしている。
また、弾性部材３の付勢力の作用部２２が一対の挟持部材２における当たり面２１の外側に位置されているのは、当り面２１が一対の挟持部材２における挟持部４を開閉する支点部として作用することをなくすためである。
【００３０】
仮に、弾性部材３の付勢力の作用部２２が一対の挟持部材２における当たり面２１よりも挟持部４側の外側に位置している場合、弾性部材３の付勢力は、一対の挟持部材２の当たり面２１における挟持部４側の端部を支点部として作用し、弾性部材３の付勢力が隙間７を閉じる方向に働き、隙間７を形成する技術的意義がなくなるからである。
このように、一対の挟持部材２同士の当たり面２１が当たっている状態で、隙間７が存するようにしているから、洗濯物を引っ張って取外すときに、洗濯物が物干しピンチ１を離れる直前にも一対の挟持部４の間には洗濯物の糸が通過できる隙間があいているのである。
【００３１】
そして、図４に示すように、一対の操作部５の当接により一対の挟持部材２における挟持部４が最大開口状態に位置されている際に、挟持部４と当たり面２１との間の挟持部材２の内側に被挟持物である洗濯物が挟持部４の開口部４３側から当たり面２１側に挿入されることを阻止する阻止片８が設けられている。
阻止片８は一対の挟持部材２のそれぞれに幅方向の一方の片側から舌片状に立設され、幅方向の他方の片側に阻止片８が出入り可能な孔部８１が形成されている。
【００３２】
一対の阻止片８は、被挟持物である洗濯物９（図８、図９参照）が支点部６の近傍に噛み込むことを阻止して洗濯物９を一対の挟持部４で保持されるようにしているとともに、幅方向の他方の片側に阻止片８が出入り可能な孔部８１が形成されているから、阻止片８１を形成した物干し用ピンチ１がコンパクトとなるのである。
なお、阻止片８は、図５に示すように、一対の操作部５の当接により一対の挟持部材２における挟持部４が最大開口状態に位置されている状態で、先端部８ａが孔部８１から離れて空隙８２が生じる大きさに形成されている。
【００３３】
また、前記一対の挟持部材２における挟持部４と阻止片８との間には、各挟持部材２の内面が外側に湾曲して空所２３が形成されており、空所２３の各挟持部４に繋がる面がなだらかな丸み面２４に形成されている。
空所２３の各挟持部４に繋がる面がなだらかな丸み面２４に形成されていることにより、被挟持物である洗濯物９を取外す際の引っ張る力を小さくすることができ、かつ、洗濯物９の糸が挟持部４に絡むことを一層確実に防止できるのである。
【００３４】
さらに、一対の挟持部材２における各挟持部４には、複数の凹部４１と複数の凸部４２とが形成されるとともに、一方の挟持部４の各凹部４１と各凸部４２とに他方の挟持部の各凸部４２と各凹部４１とが、一対の挟持部材２同士の当たり面２１が当たっている状態で、隙間７をあけて位置されている。
一対の挟持部材２における各挟持部４の各凹部４１と各凸部４２の具体的構成は、図６及び図７に示すように、幅方向で二分された一側に長手方向に直交する一方凹部４１ａと一方凸部４２ａとが交互に形成されている。
【００３５】
また、幅方向で二分された他側に長手方向に直交する他方凸部４２ｂと他方凹部４１ｂとが交互に形成されている。
各凸部４２、４２ａ、４２ｂは半径が０．４ｍｍの半円柱状であり、各凹部４１、４１ａ、４１ｂは半径が０．４５ｍｍの半円柱状の窪みであり、各凸部４２、４２ａ、４２ｂと各凹部４１、４１ａ、４１ｂとの隙間７は０．２ｍｍで、各挟持部４における平面部４４の隙間７は０．１ｍｍである。
【００３６】
隙間７は０．１〜０．３程度であれば、被挟持物である洗濯物９が薄くても一対の挟持部４で洗濯物９を確実に保持することができながら、洗濯物９の糸が挟持部４に絡まないで隙間を通過することができるのである。
以上のように形成した物干し用ピンチ１の使用例を図８及び図９の説明図により説明する。
【００３７】
被挟持物として薄物の洗濯物９１を物干し用ピンチ１で挟持するときは、図８に示すように、一対の挟持部４はほとんど開口しないが、薄物で軽量のため、洗濯物９１が挟持部４の凹部４１、４１ａ、４１ｂと凸部４２、４２ａ、４２ｂで確実に保持されるようにしている。
また、被挟持物として厚物の洗濯物９２を物干しピンチ１で挟持するときは、図９に示すように、一対の挟持部４は開口した状態で、厚物の洗濯物９２が挟持部４の凹部４１、４１ａ、４１ｂと凸部４２、４２ａ、４２ｂで確実に保持されるようにしている。
【００３８】
なお、図８及び図９において、９３は物干し具の枠及び９４は物干し具の枠９３に物干しピンチを吊るすための吊り具である。
以下、本発明の実施の形態１の変形例について、説明する。
【００３９】
以上の実施の形態１では、挟持部材２の挟持部４における半円柱状の凹部４１、４１ａ、４１ｂと半円柱状の凸部４２、４２ａ、４２ｂとを横方向に水平状に形成したが、図１０（ａ）に示すように、縦方向に垂直状に形成してもよい。
縦方向に垂直状に形成する場合、図１０（ａ）では上下方向に二分したが、図１０（ｂ）に示すように上下を一体化した半円柱状の連結凹部４１ｃと半円柱状の連結凸部４２ｃとしてもよい。
【００４０】
図１０（ａ）又は図１０（ｂ）の場合、一対の挟持部材４は、形状が同一であり、金型が１個にできるのである。
以上の実施の形態１では、一対の挟持部材２における各挟持部４の各凹部４１と各凸部４２とは、幅方向で二分された一側に長手方向に直交する一方凹部４１ａと一方凸部４２ａとが交互に形成され、幅方向で二分された他側に長手方向に直交する他方凸部４２ｂと他方凹部４１ｂとが交互に形成されるようにしたが、二分することなく、凹部４１ａ、４１ｂと凸部４２ａ、４２ｂとを一体化してもよい（図示せず）。
【００４１】
この場合、一対の挟持部材２は、上下方向に形成される凹部と凸部の順序が異なる挟持部材であることが必要なため、金型が２個必要となり、少量生産の場合には問題であるが、量産の場合には、問題とはならない。
また、以上の実施の形態１では、凸部と凹部の形状は、半円柱状としたが、半球状、角柱状、截頭円錐状、截頭角錐状などでもよい。
【００４２】
以上の実施の形態１では、阻止片は一対の挟持部材のそれぞれに幅方向の一方の片側から立設され、幅方向の他方の片側に阻止片が出入り可能な孔部が形成されるようにしたが、阻止片の形状・構造は被挟持物である洗濯物が当たり面側に挿入されることを阻止できればよく、阻止片を設けなくてもよい。
以上の実施の形態１では、挟持部と阻止片の間の空所の形状を、外側に湾曲した空所としたが、側面視で三角状でもよい。
【００４３】
また、以上の実施の形態１では、一対の挟持部の間には、一対の挟持部材同士の当たり面が当たっている状態で、一対の挟持部の間の隙間は、０．１〜０．３程度としたが、被挟持物である洗濯物により適宜選択してもよい。
以上の実施の形態１では、一対の挟持部材の材質をポリカーボネート樹脂としたが、材質をポリプロピレン樹脂などの各種合成樹脂にしてもよい。
【００４４】
＜実施の形態２＞
次に、本発明の実施の形態２を図１１〜図１６に基づいて説明する。
実施の形態２は、実施の形態１における一対の阻止片８により被挟持物である洗濯物９（図８、図９参照）が支点部６の近傍に噛み込むことを阻止するようにした構成を改良して、洗濯物９の噛み込みを一層確実に防止できるようにしたものである。
【００４５】
以下、実施の形態１と同様な構成については、同一の符号を付して説明を省略ないし簡略にし、実施の形態１と相違する構成について詳細に説明する。
実施の形態２のピンチ１（挟持部材２）は、実施の形態１のピンチ１（挟持部材２）よりも長手方向の寸法が実施の形態１の約８０ｍｍから実施の形態２の約７０ｍｍに小形に形成されている。
【００４６】
また、実施の形態２における一対の挟持部材２における支点部６から挟持部４の方向に所定距離（約１３ｍｍ）離れた箇所に、一対の挟持部材２における一対の挟持部４に弾性部材３の閉方向の付勢力が作用している状態で、一対の挟持部材２同士の内側が当たる当たり面２１が形成されており、実施の形態１における所定距離の約１８ｍｍよりも小さく形成されている。
そして、実施の形態２における実施の形態１を改良した構成は、実施の形態１における被挟持物である洗濯物が支点部６の近傍に噛み込むことを阻止するようにした一対の阻止片８に係る構成についてのものである。
【００４７】
すなわち、実施の形態１では図５に示すように、操作部５の当接により一対の挟持部材２における挟持部４が最大開口状態に位置されている状態で、阻止片８は先端部８ａが孔部８１から離れて空隙８２が生じる大きさに形成されている。
このため、実施の形態１では、薄い洗濯物９が空隙８２から支点部６の近傍に噛み込むことが稀に生ずるおそれがあり、実施の形態２では、以下のように、洗濯物の噛み込みを一層確実に防止できるようにしたものである。
【００４８】
図１４に示すように、操作部５の当接により一対の挟持部材２における挟持部４が最大開口状態に位置されている状態で、阻止片８は先端部８ａが孔部８１（図１３参照）から離れて空隙８２が生じる大きさに形成されている。
そして、各挟持部材２における孔部８１の挟持部４側の近傍に空隙８２を塞ぎ被挟持物が挟持部４の開口部４３側から当たり面２１側に挿入されることを阻止する補助阻止片８３が設けられている。
【００４９】
また、一対の挟持部材２における挟持部４と阻止片８又は補助阻止片８３との間には、各挟持部材２の内面が外側に湾曲して空所２３が形成されており、空所２３の挟持部４に繋がる面がなだらかな丸み面２４に形成されている。
このように、実施の形態２は、阻止片８の先端部８ａと孔部８１との間に形成される空隙８２を塞ぐ補助阻止片８３により、洗濯物の噛み込みを一層確実に防止できるようにしている。
【００５０】
さらに、実施の形態２は、実施の形態１と同様に、一対の挟持部材２における挟持部４と阻止片８又は補助阻止片８３との間の空所２３における挟持部４に繋がる面がなだらかな丸み面２４に形成されているから、被挟持物である洗濯物を取外す際の引っ張る力を小さくすることができるとともに洗濯物の糸が挟持部４に絡むことを一層確実に防止できるようにしている。
以上のように、実施の形態２は、実施の形態１における一対の阻止片８により被挟持物である洗濯物９が支点部６の近傍に噛み込むことを阻止するようにした構成を改良して、洗濯物９の噛み込みを一層確実に防止できるようにしたものであり、他の構成については実施の形態１と略同様であるので説明を省略する。
【００５１】
また、実施の形態２における物干しピンチ１の使用例及び変形例についても、実施の形態１の使用例及び変形例と同様であるので、説明を省略する。
【符号の説明】
【００５２】
１    物干し用ピンチ
２    挟持部材
２１  当たり面
２２  作用部
２３  空所
２４  丸み面
３    弾性部材
４    挟持部
４１  凹部
４１ａ  一方凹部
４１ｂ  他方凹部
４１ｃ  連結凹部
４２  凸部
４２ａ  一方凸部
４２ｂ  他方凸部
４２ｃ  連結凸部
４３  開口部
４４  平面部
５    操作部
６    支点部
７    隙間
８    阻止片
８ａ  阻止片の先端部
８１  孔部
８２  空隙
８３  補助阻止片
９    洗濯物
９１  薄物の洗濯物
９２  厚物の洗濯物
９３  物干し具の枠
９４  吊り具
【図１】
2020096756.tif 000003
【図２】
2020096756.tif 000004
【図３】
2020096756.tif 000005
【図４】
2020096756.tif 000006
【図５】
2020096756.tif 000007
【図６】
2020096756.tif 000008
【図７】
2020096756.tif 000009
【図８】
2020096756.tif 000010
【図９】
2020096756.tif 000011
【図１０】
2020096756.tif 000012
【図１１】
2020096756.tif 000013
【図１２】
2020096756.tif 000014
【図１３】
2020096756.tif 000015
【図１４】
2020096756.tif 000016
【図１５】
2020096756.tif 000017
【図１６】
2020096756.tif 000018